(57)【特許請求の範囲】
【請求項１】
簡易型携帯電話を個人が携帯する移動局として該移動局から選択的に屋内の設備機器を制御する簡易型携帯電話利用制御システムを備えたビルであって、
前記移動局と無線交信を行うために室内に配置されたアンテナを有する複数の屋内基地局と、
制御可能な移動局及び制御信号を識別するための情報を格納する制御テーブルと、
制御指令を受信して前記屋内の設備機器を制御する受信機能付リレーボックスと、
無線送信装置を有し、前記屋内基地局に前記移動局からのリクエストがあったとき、キー入力の先頭が電話番号を入力するものか前記設備機器のアドレスを含む制御信号を入力するものかにより電話か制御かを識別して、電話の場合には交換機に接続し、制御の場合には前記制御テーブルに格納された前記制御可能な移動局及び制御信号を識別するための情報を参照して前記制御可能な移動局及び制御信号を識別して前記屋内の設備機器の制御指令を前記受信機能付リレーボックスに送出する制御装置と
を備え、前記制御テーブルに格納された前記制御可能な移動局からの制御信号を識別するための情報により前記設備機器及び移動局毎に制御を管理できるようにしたことを特徴とする簡易型携帯電話利用制御システムを備えたビル。
【発明の詳細な説明】
【０００１】
【産業上の利用分野】
本発明は、簡易型携帯電話を利用してビル内の照明機器や空調機等の設備機器の発停を行う簡易型携帯電話利用制御システムを備えたビルに関する。
【０００２】
【従来の技術】
一般にオフィスビルでは、間仕切りした部屋毎に照明機器や空調機等の設備機器の発停を行うため、それぞれの入口付近、あるいはスパン毎にスイッチが取り付けられる。このようなスイッチを設けるということは、設備設計に際して、間仕切りの最小単位を考えて照明機器や空調機等の設備機器をその最小単位毎に発停が可能なように分割すると共に、スイッチの適切な取り付け位置の選択と配線が必要になるということである。つまり、設計と配線工事において、それだけ負担が大きくなるということである。
【０００３】
そこで、このようなスイッチをなくして、無線の操作機器で照明機器や空調機等の設備機器の発停を行うことが考えられる。このようにすると、無線の操作機器の信号が受信可能であれば受信機の取り付け位置を自由に選ぶことができ、その分配線工事の負担も軽減することができる。
【０００４】
【発明が解決しようとする課題】
しかしながら、無線の操作機器で照明機器や空調機等の設備機器の発停を行う場合には、その操作機器の管理が問題になる。つまり、操作機器の管理場所を明確にしておかないと、操作機器が個人的に保管されたりして行方不明になってしまい、照明機器や空調機等の設備機器の発停を行うことができなくなってしまうという事態が生じる。通常、照明機器や空調機等の設備機器の発停を行う時は、最初に出勤してきた者や最後に帰る者となるため、操作機器が不明になると、その者が一人で方々を探さなければならなくなる。
【０００５】
本発明は、上記の課題を解決するものであって、スイッチをなくし、個人の管理のもとに設備機器の発停を行うことができる簡易型携帯電話利用制御システムを備えたビルを提供することを目的とするものである。
【０００６】
【課題を解決するための手段】
そのために本発明は、簡易型携帯電話を個人が携帯する移動局として該移動局から選択的に屋内の設備機器を制御する簡易型携帯電話利用制御システムを備えたビルであって、前記移動局と無線交信を行うために室内に配置されたアンテナを有する複数の屋内基地局と、制御可能な移動局及び制御信号を識別するための情報を格納する制御テーブルと、制御指令を受信して前記屋内の設備機器を制御する受信機能付リレーボックスと、無線送信装置を有し、前記屋内基地局に前記移動局からのリクエストがあったとき、キー入力の先頭が電話番号を入力するものか前記設備機器のアドレスを含む制御信号を入力するものかにより電話か制御かを識別して、電話の場合には交換機に接続し、制御の場合には前記制御テーブルに格納された前記制御可能な移動局及び制御信号を識別するための情報を参照して前記制御可能な移動局及び制御信号を識別して前記屋内の設備機器の制御指令を前記受信機能付リレーボックスに送出する制御装置とを備え、前記制御テーブルに格納された前記制御可能な移動局からの制御信号を識別するための情報により前記設備機器及び移動局毎に制御を管理できるようにしたことを特徴とするものである。
【０００７】
【作用】
本発明の簡易型携帯電話利用制御システムを備えたビルでは、移動局と無線交信を行うために室内に配置されたアンテナを有する複数の屋内基地局と、制御可能な移動局及び制御信号を識別するための情報を格納する制御テーブルと、制御指令を受信して前記屋内の設備機器を制御する受信機能付リレーボックスと、無線送信装置を有し、前記屋内基地局に前記移動局からのリクエストがあったとき、キー入力の先頭が電話番号を入力するものか前記設備機器のアドレスを含む制御信号を入力するものかにより電話か制御かを識別して、電話の場合には交換機に接続し、制御の場合には前記制御テーブルに格納された前記制御可能な移動局及び制御信号を識別するための情報を参照して前記制御可能な移動局及び制御信号を識別して前記屋内の設備機器の制御指令を前記受信機能付リレーボックスに送出する制御装置とを備え、前記制御テーブルに格納された前記制御可能な移動局からの制御信号を識別するための情報により前記設備機器及び移動局毎に制御を管理できるようにしたので、各人の携帯する簡易型携帯電話を利用して設備機器の発停を行うことができ、設備機器発停のためのスイッチを部屋の中からなくすことができる。
【０００８】
【実施例】
以下、本発明の実施例を図面を参照しつつ説明する。
図１は本発明に係る簡易型携帯電話利用制御システムを備えたビルの１実施例を示す図であり、１ー１、１ー２、……は移動局、２ー１、２ー２、……は屋内基地局、３ー１、３ー２、……、４ー１、４ー２はアンテナ、５は無線送信装置、６ー１、６ー２、……は受信機能付リレーボックス、７は制御装置、８は制御テーブル、９は交換機（ＰＢＸ）を示す。
【０００９】
移動局１ー１、１ー２、……は、各人が簡易型携帯電話（パーソナル・ハンディホン）システムの移動局用無線設備として携帯するパーソナル・ハンディホンであり、ゾーンが微小化され、近距離伝搬が主となり、例えば１〜３ＧＨｚ帯が使用される。屋内基地局２ー１、２ー２、……は、アンテナ３ー１、３ー２、……を有し、移動局１ー１、１ー２、……と無線交信を行うものであり、その交信情報が制御装置７に送られる。制御装置７は、屋内基地局２ー１、２ー２、……で移動局１ー１、１ー２、……からのリクエストがあったとき、それが電話か制御かを識別して、電話の場合には交換機９に接続し、制御の場合にはさらに制御信号を識別して屋内の設備機器に制御指令を送出するものであり、また、交換機９から電話のリクエストに対しては、そのまま屋内基地局２ー１、２ー２、……に接続する。すなわち、通常の電話の場合には、制御装置７をバイパス又はスルーにして交換機９と屋内基地局２ー１、２ー２、……との間を実質的に直接接続するが、移動局１ー１、１ー２、……から制御のリクエストがあったときのみ、制御装置７は、その信号を取り込み、制御テーブル８を参照することにより制御信号を識別して制御指令を無線送信装置５へ出力する。制御テーブル８は、移動局１ー１、１ー２、……から制御のリクエストがあったときに、制御信号を識別するための情報を格納したものである。無線送信装置５は、各部屋の例えば天井に配置したアンテナ４ー１、４ー２、……から受信機能付リレーボックス６ー１、６ー２、……に制御指令を送出するものであり、受信機能付リレーボックス６ー１、６ー２、……は、各部屋の照明機器や空調機を発停するためのリレーを有し、その動作をアンテナ４ー１、４ー２、……から受信した制御指令により制御するように構成した、例えば多機能コンセントである。
【００１０】
簡易型携帯電話（パーソナル・ハンディホン）システムは、従来のアナログ方式のコードレス電話に代わるデジタル方式のコードレス電話としての利用に加え、同一のコードレス端末を用い、屋外で公衆電話網にアクセスを可能とする移動通信システムとして利用できるものであり、家庭、事業所、屋外で幅広く利用されることが期待されているものである。本発明に係る簡易型携帯電話利用制御システムを備えたビルは、このシステムに制御装置７、制御テーブル、無線送信装置５、アンテナ４ー１、４ー２、……、受信機能付リレーボックス６ー１、６ー２、……を組み合わせたものである。このパーソナル・ハンディホン・システムは、一般に、一般家庭、事業所等に設置される無線設備で、所謂コードレス電話の親機となる屋内基地局用無線設備、道路、駅、デパート等に設置される屋外基地局用無線設備、屋内・屋外の両方で使用できる小型・軽量の端末である移動局用無線設備、屋外基地局間、その他の無線設備を接続する連絡用無線回線である屋外基地局間連絡用無線設備からなる。そして、誤接続等を防止するため、屋内基地局を識別するシステム呼出符号、移動局を個別に識別するＰＳ呼出符号、その他の基地局を識別する識別符号を有し、接続動作に当たっては、これらの符号をお互いに送出する。そのため、制御手順は、移動局への着信及び移動局からの発振における接続制御等を行うために定められるもので、スロット構成をとっている。スロットは、時間軸上で多重化された各通信チャネルに対応するビット列の集まりであり、各ユーザ通信のために専用使用する個別割当スロットと、個別割当スロットの設定制御等のために各ユーザが共通に使用する共通使用スロットの２種類がある。個別割当スロットでは、例えば情報チャネル（ＴＣＨ）、付随制御チャネル（ＡＣＣＨ）を伝送し、共通使用スロットでは、例えば報知チャネル（ＢＣＣＨ）、共通制御チャネル（ＣＣＣＨ）、ユーザパケットチャネル（ＵＰＣＨ）を伝送する。
【００１１】
次に、動作を説明する。図２は制御テーブルの構成例を示す図、図３は制御装置による処理の例を説明するための図である。
【００１２】
いま、パーソナル・ハンディホンからなる移動局１ー１、１ー２、……から電話をかける場合には、市外局番から、市内局番から、或いは直接電話番号を入力するのに対し、設備機器の制御の場合には、まず、発停機器のアドレスを＊の後に入力し、続けて＃の後に発停の制御信号を入力するものとする。そうすると、制御装置では、先頭が＊か否かにより電話か制御かを識別することができる。そして、例えば＊の後が階→ゾーン→器具（空調機１、ＯＡ機器電源２、照明機器３）、発停の制御信号がオン０１、オフ０２であるとすると、＊→１→２→３→＃→０→１の入力があった場合には、１階の２ゾーンの照明機器をオンにする制御指令として識別することができる。
【００１３】
この場合、すべての移動局からすべての設備機器が制御できると、関係のない部屋の設備機器が発停できることになるため、それを制限する場合には、例えば移動局毎に制御できるゾーンを設定し、そのゾーン以外は制限すればよい。その場合に使用される制御テーブルの例を示したのが図２であり、制御装置による処理の例を示したのが図３である。以下にその処理の例を説明する。
【００１４】
まず、移動局からキー入力の受信があると（ステップＳ１１）、電話か否かを判断する（ステップＳ１２）。電話の場合には、電話交換機（ＰＢＸ）に接続するが（ステップＳ１３）、電話でない場合（制御の場合）には、制御テーブルを参照し（ステップＳ１４）、移動局の登録されているゾーンか否かを調べる（ステップＳ１５）。登録されているゾーンでなければ終了し、登録されているゾーンであれば機器の識別（ステップＳ１６）、制御信号の識別（ステップＳ１７）を行って、制御指令を無線送信装置へ出力する（ステップＳ１８）。そして、操作履歴を記憶して（ステップＳ１９）、終了する。このようにすると、登録されたゾーンの設備機器に対してはいつ何処からでも発停操作ができ、しかも、操作履歴を記憶しておくことにより、誰が何時どこの設備機器の発停操作を行ったかを確認することができる。
【００１５】
なお、本発明は、上記の実施例に限定されるものではなく、種々の変形が可能である。例えば上記の実施例では、制御装置を交換機と屋内基地局用無線設備との間においたが、交換機を通して制御装置を接続するように構成してもよい。
【００１６】
【発明の効果】
以上の説明から明らかなように、本発明によれば、簡易型携帯電話を個人が携帯する移動局とし、室内に配置された複数の屋内基地局と無線交信を行い、移動局のリクエストが電話か制御かを識別して制御の場合にはさらに制御信号を識別して屋内の設備機器に制御指令を送出するので、各部屋には設備機器の発停を行うためのスイッチが不要になる。しかも、各人が携帯する簡易型携帯電話を用いるので、共用の無線操作機器のように共通の管理を行うことも不要になる。また、無線操作になるので、レイアウトの変更にも容易に対応できる。さらには、きめ細かな発停操作を行うことができ、省エネを図ることができる。
【図面の簡単な説明】
【図１】  本発明に係る簡易型携帯電話利用制御システムを備えたビルの１実施例を示す図である。
【図２】  制御テーブルの構成例を示す図である。
【図３】  制御装置による処理の例を説明するための図である。
【符号の説明】
１ー１、１ー２、……は移動局、２ー１、２ー２、……は屋内基地局、３ー１、３ー２、……、４ー１、４ー２はアンテナ、５は無線送信装置、６ー１、６ー２、……は受信機能付リレーボックス、７は制御装置、８は制御テーブル、９は交換機
【図１】
0003740580.tif 000002
【図２】
0003740580.tif 000003
【図３】
0003740580.tif 000004